(57)【特許請求の範囲】
【請求項１】
基地局と、複数の移動局と、前記基地局と移動局の間の無線通信を中継する機能を有する中継基地局とを具備した無線通信システムであって、
前記中継基地局は、前記複数の移動局のうちの一つの移動局から前記基地局への通信要求信号を受信した時、基地局からの応答待ちをしている移動局がいることを通知する応答待ち信号を前記複数の移動局に向けて送信し、前記基地局と当該移動局との間の通信が解除されるまでの間、当該移動局から送信される信号を受信する毎に前記応答待ち信号を前記複数の移動局に向けて送信することを特徴とする無線通信システム。
【請求項２】
前記応答待ち信号を受信した前記複数の移動局のうち前記通信要求信号を送信していない移動局は、新たな通信要求信号を送信しないことを特徴とする請求項１記載の無線通信システム。
【請求項３】
前記移動局は、前記通信要求信号を送信する際、他の移動局が送信中であるか否かを確認するキャリアセンシング手段を設けたことを特徴とする請求項１記載の無線通信システム。
【発明の詳細な説明】
【技術分野】
【０００１】
本発明は、基地局、中継基地局、複数の移動局によって構成される無線通信システムにおいて、移動局から基地局への呼接続に中継基地局を介する際の混信防止に関するものである。
【背景技術】
【０００２】
消防・救急業務向けのデジタル無線アクセス方式の一つとしてＳＣＰＣ（Ｓｉｎｇｌｅ  Ｃｈａｎｎｅｌ  Ｐｅｒ  Ｃａｒｒｉｅｒ）方式がある。このＳＣＰＣ方式は、１搬送波あたり１通信（１チャネル）を割り当てる方式で、現状のアナログ方式の消防・救急無線と同様な運用形態が期待できる方式である。
【０００３】
このＳＣＰＣ方式を採用したシステム構成の一例を図１に基づいて説明する。この図１において、操作卓２１は、無線系統全体を指揮して移動局との通信を行うための装置である。制御装置２２は、基地局１０の接続制御のほか、操作卓２１に対するインターフェース等の機能を実現するための装置である。基地局１０は、管轄エリア内の移動局１２と通信を行うための送受信装置を備えており、操作卓２１とは制御装置２２を介して有線で接続されている。基地局１０のサービスエリア内の移動局１２とは直接通信を行うが、サービスエリア外の移動局１３又は１４との通信の場合には、中継基地局１１が移動局１３又は１４との通信を中継する。中継基地局１１は、基地局１０と移動局１３又は１４との通信を中継する必要があることから、異なる周波数でそれぞれと通信するための送受信装置を有している。
【０００４】
図１において、ＦＨｎ（ｎ＝１、２）は、基地局１０、中継基地局１１からの下り回線の周波数を表しており、ＦＬｎ（ｎ＝１、２）は、中継基地局１１、移動局１２乃至１４からの上り回線の周波数を表している。また、基地局１０からは周波数ＦＨ１で定期的に報知情報（空線）が送信される。報知情報は、移動局１２乃至１４において自動で受信チャネル切替を行うための切替判定レベル等の各種情報を通知するための信号であり、この報知情報も中継基地局１１によって中継されて移動局１３及び１４に通知される。
【０００５】
このような中継基地局を介して基地局と移動局が通信する無線通信システムとして、例えば、特許文献１が既に提案されている。この特許文献１は、無線基地局と無線端末とが無線中継局を介して通信を行なう場合に、無線中継局での中継処理に要する時間（タイムラグの発生）を考慮して、無線基地局（又は無線中継局）と無線端末がそれぞれ管理しているメッセージやデータの受信又は送信タイミングが一致するよう調整することによって、無線端末又は無線基地局において予定されたタイミングで正しくメッセージやデータを受信できるようにすることを目的としたものである。
【特許文献１】特開２００８−１０９３７４号公報
【発明の開示】
【発明が解決しようとする課題】
【０００６】
基地局、中継基地局、複数の移動局によって構成される無線通信システムにおいて使用される通信方法としては、例えば、ＲＩＣＨ（Radio Information Channel：無線情報チャネル）が挙げられる。図２に示すのは、ＲＩＣＨ通信のフォーマットを表した模式図である。この図２に示すように、ＲＩＣＨ通信は３つのオクテットを１単位として送受信されるものである。ＲＩＣＨ通信のフォーマットのうち、Ｓは、プロトコル識別情報であり、２ビットを用いてユーザ情報であるかＲＩＣＨであるかを示すのに用いられる。Ｆは、無線チャネル構造識別情報であり、３ビットを用いて通信又は同期バーストにおいて基地局の追従、非追従を示すのに用いられる。Ｍは、通信モード識別情報であり、３ビットを用いて音声データ、非音声データ、空線など、送受信されている通信種別を示すのに用いられる。Ｄは、動作モード識別情報であり、３ビットを用いてアイドル、接続中等の通信回線の状態を示すのに用いられる。ＣＣは、カラーコードであり、６ビットを用いて一斉送信、グループ送信、個別通信などの通信種別を示すのに用いられる。
【０００７】
また、ＴＣＨ（Traffic Channel：トラヒックチャネル）は、通信モード識別情報Ｍ内にあって、ユーザ情報（音声／非音声データ）を転送するためのチャネルである。ＳＢ０（Synchronous Burst 0：同期バースト）は、無線チャネル構造識別情報Ｆ内にあって、ユーザ情報を転送する前に取り交わされるバーストデータである。
【０００８】
ここで、図１に示す無線通信システムにおいて、中継基地局１１のエリア内に位置している移動局１３から基地局１０に対して通信要求を行う場合の通信シーケンスについて図５に基づいて詳細に説明する。通信方法としては、前述のＲＩＣＨ通信を用いるものとする。
先ず、基地局１０から通信チャネル（エアー）が未使用状態であることを表す「空線，ＲＩ（Ｄ＝アイドル）」が送信され、中継基地局１１はこれを中継して、中継基地局エリア内にいる移動局１３及び１４に対して送信する。この空線を受信した移動局１３及び１４は、基地局１０との通信が可能であることを認識する。
【０００９】
ここで、移動局１３がプレスＯＮして基地局１０との音声通信を行おうとした場合、先ず、移動局１３から「ＳＢ０：通信要求，ＲＩ（Ｄ＝一斉）」が送信される。このとき、移動局１３を特定するための発番号、発ＩＤも同時に送信される。これを受信した中継基地局１１は、受信した信号を送信周波数に切り替えた上で基地局１０にそのまま送信する。これを受信した基地局１０は、操作卓２１に対して着信ＯＮ状態となったことを通知するとともに、「ＳＢ０：通信応答，ＲＩ（Ｄ＝ＢＵＳＹ）」が送信される。このとき、送信権を獲得した移動局１３を特定するための発番号、発ＩＤも同時に送信される。この基地局１０が送信した通信応答信号を受信した中継基地局１１は、受信した信号を送信周波数を切り替えた上で移動局１３及び移動局１４に送信する。移動局１３では当該信号の受信によって送信権を獲得し、移動局１４では当該信号の受信によって通信チャネル（エアー）使用状態と判断し、ロック／割込不可に設定する。
【００１０】
移動局１３では、送信権獲得後に送話を開始する。具体的には、「ＴＣＨ：音声，ＲＩ（Ｄ＝一斉）」を送信し、中継基地局１１、基地局１０を介して音声信号が操作卓２１に送られる。また、基地局１０では、「ＴＣＨ：音声，ＲＩ（Ｄ＝一斉）」を受信したタイミングで「ＴＣＨ：音声，ＲＩ（Ｄ＝ＢＵＳＹ）」を送信することで、移動局１３以外の移動局に対して、音声通信継続中であることを通知する。
【００１１】
移動局１３がプレスＯＦＦして基地局１０との音声通信を終了しようとした場合には、「ＴＣＨ：アイドル，ＲＩ（Ｄ＝一斉）」を送信する。中継基地局１１を介して当該信号を受信した基地局１０は、折り返し「ＴＣＨ：アイドル，ＲＩ（Ｄ＝ＢＵＳＹ）」を送信して未だ通信不可の状態であることを他の移動局に対して通知する。その後、移動局１０は、操作卓２１に対して着信ＯＦＦ状態となったことを通知し、さらに、全ての移動局１２乃至１４に対して「ＴＣＨ：アイドル，ＲＩ（Ｄ＝一斉）」を送信して、通信可能となったことを通知してロックを解除させる。
【００１２】
ここで、移動局１３においてプレスＯＮして通信要求信号を送信した場合、通信要求信号は１フレームが例えば４０ｍｓで構成されるため、移動局１３から中継基地局１１までの間で４０ｍｓ、中継基地局１１から基地局１０までの間で４０ｍｓ掛かり、片道８０ｍｓを要する。また、基地局１０が通信要求信号を受信してから通信応答信号を送信するまでに処理遅延時間（タイムラグ）として例えば１２０ｍｓを要する。中継基地局１２における処理遅延時間等を＋αとして考慮すると、移動局１３がプレスＯＮしてから移動局１４が通信チャネル使用中であることを認識するまでに、８０ｍｓ＋１２０ｍｓ＋８０ｍｓ＋α、即ち、２８０ｍｓ＋αの時間を要することになる。この間に移動局１４もプレスＯＮするようなことがあると、通信に妨害を与え、通信が失敗してしまうという問題がある。
【００１３】
また、移動局側では、在圏する通信エリアが基地局配下なのか中継基地局配下なのかを判断する手段を持たないため、呼接続のための上り信号の送出回数は、予め上位装置を含んだネットワークの遅延時間を加味した長めの固定回数にせざるを得ない。長めの送出回数とすることで確実に接続できることとなるが、他方、基地局配下の場合は余計な信号送出回数となり接続までに時間が掛かってしまう。信号送出回数を短くして見切り発射することも可能であるが、接続失敗や話頭切れ等の問題も発生する可能性が高まってしまうという問題がある。
【００１４】
本発明は、上記問題点に鑑みなされたものであり、複数の移動局が同時期に呼接続して通信が失敗することを防止するための手段を有した無線通信システムを提供することを目的とするものである。
【課題を解決するための手段】
【００１５】
本発明の請求項１は、基地局と、複数の移動局と、前記基地局と移動局の間の無線通信を中継する機能を有する中継基地局とを具備した無線通信システムであって、前記中継基地局は、前記複数の移動局のうちの一つの移動局から前記基地局への通信要求信号を受信した時、基地局からの応答待ちをしている移動局がいることを通知する応答待ち信号を前記複数の移動局に向けて送信し、前記基地局と当該移動局との間の通信が解除されるまでの間、当該移動局から送信される信号を受信する毎に前記応答待ち信号を前記複数の移動局に向けて送信することを特徴とする無線通信システムである。
【００１６】
本発明の請求項２は、請求項１に加えて、前記応答待ち信号を受信した前記複数の移動局のうち前記通信要求信号を送信していない移動局は、新たな通信要求信号を送信しないことを特徴とする無線通信システムである。
【００１８】
本発明の請求項３は、請求項１に加えて、前記移動局は、前記通信要求信号を送信する際、他の移動局が送信中であるか否かを確認するキャリアセンシング手段を設けたことを特徴とする無線通信システムである。
【発明の効果】
【００１９】
請求項１記載の発明によれば、中継基地局は、複数の移動局のうちの一つの移動局から基地局への通信要求信号を受信した時、基地局からの応答待ちをしている移動局がいることを通知する応答待ち信号を前記複数の移動局に向けて送信するようにしたので、実際には通信不可であるにもかかわらず通信可能であると他の移動局が誤解してしまう期間を従来に比較して短縮することができ、これにより、他の移動局が割り込むことによる通信失敗を未然に防ぐことが可能となり、通信の高信頼性を保つことができる。
また、中継基地局は、基地局と当該移動局との間の通信が解除されるまでの間、当該移動局から送信される信号を受信する毎に前記応答待ち信号を前記複数の移動局に向けて送信するようにしたので、途中から中継基地局エリア内に移動してきた移動局が通信不可であると認識するための機会が増え、また、認識するまでの時間を短くすることができ、途中から中継基地局エリア内に移動してきた移動局が通信に割り込むことを未然に防ぐことが可能となる。
【００２０】
請求項２記載の発明によれば、応答待ち信号を受信した複数の移動局のうち前記通信要求信号を送信していない移動局は、新たな通信要求信号を送信しないことで、他の移動局による割込みを防止できる。
【００２２】
請求項３記載の発明によれば、移動局は、前記通信要求信号を送信する際、他の移動局が送信中であるか否かを確認するキャリアセンシング手段を設けたことで、中継局から送信される他の移動局が応答待ち状態である信号を受信するまでにタイムラグがあり、そのタイムラグ分の時間をキャリアセンシング時間にすることで割込を完全に防止できる。
【図面の簡単な説明】
【００２３】
【図１】無線通信システムを構成する基地局、中継基地局、及び、移動局の位置関係を表した模式図である。
【図２】ＲＩＣＨ通信のフォーマットを表した模式図である。
【図３】本発明の無線通信システムにおける通信シーケンス図である。
【図４】無線システムを構成する（ａ）基地局、（ｂ）中継基地局、（ｃ）移動局の無線装置の簡単な構成を表したブロック図である。
【図５】従来の無線通信システムにおける通信シーケンス図である。
【発明を実施するための形態】
【００２４】
本発明による無線通信システムは、基地局と、複数の移動局と、前記基地局と移動局の間の無線通信を中継する機能を有する中継基地局とを具備した無線通信システムであって、前記中継基地局は、前記複数の移動局のうちの一つの移動局から前記基地局への通信要求信号を受信した時、基地局からの応答待ちをしている移動局がいることを通知する応答待ち信号を前記複数の移動局に向けて送信し、前記基地局と当該移動局との間の通信が解除されるまでの間、当該移動局から送信される信号を受信する毎に前記応答待ち信号を前記複数の移動局に向けて送信することを特徴とするものである。以下、詳細に説明を行う。
【実施例１】
【００２５】
本発明による無線通信システムの実施例を図面に基づいて説明する。システム全体の構成は図１と同様であり、操作卓２１、制御装置２２、基地局１０、中継基地局１１、移動局１２乃至１４によって構成されている。なお、中継基地局１１は固定局としているが、本発明は車載中継局のような移動可能な中継装置にも同様に適用可能なものである。
【００２６】
次に各システム構成要素における無線装置について説明する。図４（ａ）に示すのは、基地局１０の無線装置を表したブロック図であり、送信部１５ａ、受信部１６ａ、変復調処理部１７ａ、制御部１８ａ、記憶部１９ａ、及び、データ・音声処理部２０ａによって構成されている。例えば、受信部１６ａで移動局１４からの通信要求信号を受信した場合には、変復調処理部１７ａで復調して制御部１８ａにおいて通信要求を処理し、データ・音声処理部２０ａを介して制御装置２２を介して移動局１２乃至１４からの着信を操作卓２１に通知し、かつ、制御部１８において移動局１２乃至１４に対しての通信応答信号を生成し、変復調処理部１７ａを介して送信部１５ａから送信する。
【００２７】
図４（ｂ）に示すのは、中継基地局１１の無線装置を表したブロック図であり、送信部１５ｂ、受信部１６ｂ、変復調処理部１７ｂ、制御部１８ｂ、記憶部１９ｂ、及び、データ・音声処理部２０ｂによって構成された送受信部と、送信部１５ｃ、受信部１６ｃ、変復調処理部１７ｃ、制御部１８ｃ、記憶部１９ｃ、及び、データ・音声処理部２０ｃによって構成された送受信部の２組の送受信部によって構成されている。例えば、移動局１３からの通信要求信号を基地局１０に対して中継する場合には、受信部１６ｃで通信要求信号を受信し、データ・音声処理部２０ｃからデータ・音声処理部２０ｂに通信要求信号のデータを伝送し、データ音声処理部２０ｂで受けた通信要求信号のデータを送信部１５ｂから基地局１０に対して送信する。
【００２８】
図４（ｃ）に示すのは、移動局１２乃至１４の無線装置を表したブロック図であり、送信部１５ｄ、受信部１６ｄ、変復調処理部１７ｄ、制御部１８ｄ、記憶部１９ｄ、及び、データ・音声処理部２０ｄによって構成されている。例えば、受信部１６ｄで基地局１０からの報知情報（空線）を周波数ＦＨ１で受信して復調した後に切替判定レベルを取得して記憶部１９ｄに記憶し、その後、受信部１６ｄで受信した信号レベルを、受信チャネル設定のためのレベルサーチを行うか否かの判定閾値である切替判定レベルと制御部１８ｄにおいて比較して切替判定レベル以上か否かを判定する。切替判定レベル以下であれば、通信サービスエリア外に移動したことになり、新たに受信周波数ＦＨ２を設定するためのレベルサーチを行う。
【００２９】
本発明はシステム全体の構成としては従来と同様であるが、中継基地局エリア内にいる移動局から通信要求（プレスＯＮ）があった場合の中継基地局１１における処理が従来とは異なるものであり、以下、図３の通信シーケンス図に基づいて説明を行う。
【００３０】
図３において、先ず、基地局１０から通信チャネルが未使用状態であることを表す「空線，ＲＩ（Ｄ＝アイドル）」が送信され、中継基地局１１はこれを中継して、中継基地局エリア内にいる移動局１３及び１４に対して送信する。この空線を受信した移動局１３及び１４は、基地局１０との通信が可能であることを認識する。
【００３１】
ここで、移動局１３がプレスＯＮして基地局１０との音声通信を行おうとした場合、先ず、移動局１３から「ＳＢ０：通信要求，ＲＩ（Ｄ＝一斉）」が送信される。このとき、移動局１３を特定するための発番号、発ＩＤも同時に送信される。これを受信した中継基地局１１は、中継基地局エリアにいる移動局（図１の場合、移動局１３及び１４）に対して、移動局１３が応答待ち状態であることを通知する応答待ち信号として、折り返し「ＴＣＨ：アイドル，ＲＩ（Ｄ＝ＢＵＳＹ（応答待ち））」を送信する。ここで、この中継基地局１１から送信する「ＴＣＨ：アイドル，ＲＩ（Ｄ＝ＢＵＳＹ（応答待ち））」は、図２に示すように、ＲＩＣＨ（無線情報チャネル）において新たに動作モード識別情報Ｄの１つとして定義した「０１１：ＢＵＳＹ（応答待ち）」を用いたものであり、プレスＯＮを行った移動局１３に対しては在圏するサービスエリアが中継基地局配下であることを通知する機能を有し、中継基地局エリア内にいて通信要求を送信していない移動局１４に対しては、通信チャネルが使用状態にあることを通知する機能を有する。
【００３２】
その後、移動局１３から「ＳＢ０：通信要求，ＲＩ（Ｄ＝一斉）」を受信した中継基地局１１は、受信した信号を送信周波数に切り替えた上で基地局１０にそのまま送信する。これを受信した基地局１０は、操作卓２１に対して着信ＯＮ状態となったことを通知するとともに、「ＳＢ０：通信応答，ＲＩ（Ｄ＝ＢＵＳＹ）」が送信される。このとき、送信権を獲得した移動局１３を特定するための発番号、発ＩＤも同時に送信される。この基地局１０が送信した通信応答信号を受信した中継基地局１１は、受信した信号を送信周波数を切り替えた上で移動局１３及び移動局１４に送信する。移動局１３では当該信号の受信によって送信権を獲得し、移動局１４では当該信号の受信によって依然として通信チャネル使用状態と判断し、ロック継続に設定する。
【００３３】
移動局１３では、送信権獲得後に送話を開始する。具体的には、「ＴＣＨ：音声，ＲＩ（Ｄ＝一斉）」を送信する。「ＴＣＨ：音声，ＲＩ（Ｄ＝一斉）」を受信した中継基地局１１は、折り返し「ＴＣＨ：アイドル，ＲＩ（Ｄ＝ＢＵＳＹ（応答待ち））」を送信するとともに、基地局１０に対して「ＴＣＨ：音声，ＲＩ（Ｄ＝一斉）」を送信して、結果、音声信号が操作卓２１に送られる。また、基地局１０では、「ＴＣＨ：音声，ＲＩ（Ｄ＝一斉）」を受信したタイミングで「ＴＣＨ：音声，ＲＩ（Ｄ＝ＢＵＳＹ）」を送信することで、移動局１３以外の移動局に対して、音声通信継続中であることを通知する。
【００３４】
移動局１３がプレスＯＦＦして基地局１０との音声通信を終了しようとした場合には、「ＴＣＨ：アイドル，ＲＩ（Ｄ＝一斉）」を送信する。「ＴＣＨ：アイドル，ＲＩ（Ｄ＝一斉）」を受信した中継基地局１１は、折り返し「ＴＣＨ：アイドル，ＲＩ（Ｄ＝ＢＵＳＹ（応答待ち））」を送信する。中継基地局１１を介して「ＴＣＨ：アイドル，ＲＩ（Ｄ＝一斉）」を受信した基地局１０は、折り返し「ＴＣＨ：アイドル，ＲＩ（Ｄ＝ＢＵＳＹ）」を送信して未だ通信不可の状態であることを他の移動局に対して通知する。その後、移動局１０は、操作卓２１に対して着信ＯＦＦ状態となったことを通知し、さらに、全ての移動局１２乃至１４に対して「ＴＣＨ：アイドル，ＲＩ（Ｄ＝一斉）」を送信して、通信可能となったことを通知してロックを解除させる。
【００３５】
なお、「ＴＣＨ：アイドル，ＲＩ（Ｄ＝ＢＵＳＹ（応答待ち））」を、ＲＩＣＨ（無線情報チャネル）において新たに動作モード識別の１つとして定義したのは、従来の動作モードでは、例えば、以下の問題があったからである。
＜「ＳＢ０」信号の折り返し＞
「ＢＵＳＹ」付きのＳＢ０信号の折り返しは、他の移動局を排斥する意味では有効であるが、要求元移動局に対しては「送信権獲得」を示し、上位装置との呼接続完了を意味してしまうため、ＳＢ０信号の折り返しは適当でない。
＜「ＴＣＨ：アイドル」信号の送信＞
「ＢＵＳＹ」付きの「ＴＣＨ：アイドル」信号は、それ自体で終話を意味し、要求元移動局を含め通信が成立しないため、本信号の送信は適当でない。
＜「ＴＣＨ：アイドル，Ｄ＝ＢＵＳＹ（接続中）」信号の送信＞
本信号は、セレクトコール通信等で被呼局に対して送信権を与える意味を含めているため適当ではない。
【００３６】
以上のように、本発明による無線通信システムの特徴は、中継基地局１１において、移動局からの通信要求信号（プレスＯＮ）などを受信した際に、折り返し「ＴＣＨ：アイドル，ＲＩ（Ｄ＝ＢＵＳＹ（応答待ち））」を送信するようにしたことを特徴とするものである。
【００３７】
即ち、従来の中継基地局１１においては、移動局又は基地局から受信した信号を中継基地局では何も加工せずにそのまま中継する動作のみを行うスルー中継を行っていたため、中継基地局エリア内にいる他の移動局が通信チャネル使用状態であることを認識できるのは、基地局からの信号を受信した段階であった。よって、従来技術において述べたように、図１において移動局１３のプレスＯＮから移動局１４が通信チャネル使用状態であることを認識するまでに、例えば、２８０ｍｓ＋αの時間を要していた。しかし、本発明のように、中継基地局１１において、プレスＯＮなどを受信した際に折り返し「ＴＣＨ：アイドル，ＲＩ（Ｄ＝ＢＵＳＹ（応答待ち））」を送信するようにしたことで、４０ｍｓ＋４０ｍｓ＝８０ｍｓで移動局１４は通信チャネル使用状態であることを認識することができ、実際には通信不可であるにもかかわらず通信可能であると他の移動局が誤解してしまう期間を従来に比較して短縮することができる。これにより、他の移動局が割り込むことによる通信失敗を未然に防ぐことが可能となり、通信の高信頼性を保つことができる。
【００３８】
また、プレスＯＮ時のみならず、送話時、プレスＯＦＦ時など、通信チャネル使用中である移動局１３から中継基地局１１に対して信号が送信された際には、必ず折り返し「ＴＣＨ：アイドル，ＲＩ（Ｄ＝ＢＵＳＹ（応答待ち））」を送信するようにしたので、他の移動局が通信不可であると認識するための機会が増えたといえる。よって、例えば、途中から中継基地局エリア内に移動してきた移動局が通信不可であると認識するための機会が増え、また、認識するまでの時間を短くすることができ、途中から中継基地局エリア内に移動してきた移動局が通信に割り込むことを未然に防ぐことが可能となる。
【００３９】
また、「ＴＣＨ：アイドル，ＲＩ（Ｄ＝ＢＵＳＹ（応答待ち））」を受信した要求元である移動局１３は、自身が中継基地局配下であることを認識することができるため、信号送出回数を増やすことで接続失敗や話頭切れ等の問題を回避することが可能となる。
【００４０】
更に、移動局は通信要求信号を送信する際、他の移動局が送信中であるか否かを確認するために送信チャネルを一旦ウォッチングするキャリアセンシング機能を設けることで、中継局から送信される他の移動局が応答待ち状態である信号を受信するまでにタイムラグがあり、そのタイムラグ分の時間をキャリアセンシング時間にすることで割込を完全に防止できる。
【符号の説明】
【００４１】
１０…基地局、１１…中継基地局、１２…移動局、１３…移動局、１４…移動局、１５ａ〜１５ｄ…送信部、１６ａ〜１６ｄ…受信部、１７ａ〜１７ｄ…変復調処理部、１８ａ〜１８ｄ…制御部、１９ａ〜１９ｄ…記憶部、２０ａ〜２０ｄ…データ・音声処理部、２１…操作卓、２２…制御装置。
【図１】
0005495190.tif 000002
【図２】
0005495190.tif 000003
【図３】
0005495190.tif 000004
【図４】
0005495190.tif 000005
【図５】
0005495190.tif 000006